(57)【要約】      （修正有）【課題】特殊な資材や縫製により立位や座位での姿勢を整える大腿部内側から股関節、臀部の筋肉を同時に支えて下半身の安定をサポートするとともに、長年の使用によってもヒップアップ効果が持続することができるガードルを提供する。【解決手段】ガードルは、使用者の腰部及び大腿部に密着し所定の伸縮性を有するベース部１と、使用者の腰部回りを締め付け、ベース部の上部開口端部１１に位置する腰部締着部２と、使用者の臀部の側部から下部に亘って曲線状に配設され、使用者のベース部よりも摩擦係数が大きい第１摩擦ベルト３と、第１摩擦ベルトにおける使用者の臀部の下部側からベース部の下部開口端部１２側に延設され、ベース部よりも摩擦係数が大きい第２摩擦ベルト４を備える。【選択図】図２
0003226121.tif 000002
【実用新案登録請求の範囲】
【請求項１】
使用者の腰部及び大腿部に密着し所定の伸縮性を有するベース部（１）と、
使用者の腰部回りを締め付け、前記ベース部（１）の上部開口端部（１１）に位置する腰部締着部（２）と、
使用者の臀部の側部から下部に亘って曲線状に配設され、使用者の前記ベース部（１）よりも摩擦係数が大きい第１摩擦ベルト（３）と、
前記第１摩擦ベルト（３）における使用者の臀部の下部側から前記ベース部（１）の下部開口端部（１２）側に延設され、前記ベース部（１）よりも摩擦係数が大きい第２摩擦ベルト（４）を備えることを特徴とするガードル。
【請求項２】
前記第１摩擦ベルト（３）及び前記第２摩擦ベルト（４）が、少なくとも外表面においてゴム状弾性を有する樹脂を有することを特徴とする請求項１に記載のガードル。
【請求項３】
前記第１摩擦ベルト（３）及び前記第２摩擦ベルト（４）は、よこ方向において、最大荷重が１８０〜２８０Ｎであり、最大伸び率が１８０〜２６０％であることを特徴とする請求項１又は請求項２に記載のガードル。
【請求項４】
前記第１摩擦ベルト（３）と当接し、前記ベース部（１）よりも強い緊締力を有して使用者の下腹部を押さえる下腹部緊締部（５）を備えることを特徴とする請求項１から請求項３のいずれかに記載のガードル。
【考案の詳細な説明】
【技術分野】
【０００１】
本考案は、伸縮性を有する編み物よりなり、使用者の腰部、臀部、大腿部など下半身のシルエットを美しく整えるガードルに関するものである。
【背景技術】
【０００２】
使用者の臀部を持ち上げるように支持しヒップラインを美しく見せるなどのガードルは種々知られている。
【０００３】
例えば、特許文献１には、身生地の臀部の二つの膨らみの下側部分から上記両腹当て布の左右両側縁部に向って伸縮力の強いヒップアップ用の帯状のパワーネット生地上下両辺を身生地に縫着し、その両先端部は腹当て布の左右両側縁部の中間部の身生地への縫着部にそれぞれ縫着するとともに、身生地の後側縦中心上端部からはそれぞれ所定幅の腹部押さえ用の帯状のパワーネットを後方から前方へ向かってやや斜め下方に向って伸びてその上下を身生地に縫着し、その両先端部は上記両腹当て布の左右両側縁部の中間部にかけて腹当て布の左右両側縁部の身生地への縫着部に縫着するガードルが開示されている。
【先行技術文献】
【特許文献】
【０００４】
【特許文献１】実用新案登録第３２０１３５９号公報
【考案の概要】
【考案が解決しようとする課題】
【０００５】
しかしながら、特許文献１に記載のガードルにおいて、２種類の帯状のパワーネット生地は身生地の緊締力よりも強い緊締力を有する生地からなり、ヒップアップ効果などを実現することができる旨が記載されているが、長年使用することで経年劣化により２種類の帯状のパワーネット生地の緊締力が徐々に低下することがあり、臀部を持ち上げる効果を長く維持することができるガードルが求められている。
【０００６】
本考案は上記課題に鑑みてなされたものであり、特殊な資材や縫製により立位や座位での姿勢を整える大腿部内側から股関節、臀部の筋肉を同時に支えて下半身の安定をサポートするとともに、長年の使用によってもヒップアップ効果が持続することができるガードルを提供することを目的とする。
【課題を解決するための手段】
【０００７】
〔１〕すなわち、本考案は、使用者の腰部及び大腿部に密着し所定の伸縮性を有するベース部（１）と、使用者の腰部回りを締め付け、前記ベース部（１）の上部開口端部（１１）に位置する腰部締着部（２）と、使用者の臀部の側部から下部に亘って曲線状に配設され、使用者の前記ベース部（１）よりも摩擦係数が大きい第１摩擦ベルト（３）と、前記第１摩擦ベルト（３）における使用者の臀部の下部側から前記ベース部（１）の下部開口端部（１２）側に延設され、前記ベース部（１）よりも摩擦係数が大きい第２摩擦ベルト（４）を備えることを特徴とするガードルである。
【０００８】
〔２〕そして、前記第１摩擦ベルト（３）及び前記第２摩擦ベルト（４）が、少なくとも外表面においてゴム状弾性を有する樹脂を有することを特徴とする前記〔１〕に記載のガードルである。
【０００９】
〔３〕そして、前記第１摩擦ベルト（３）及び前記第２摩擦ベルト（４）は、よこ方向において、最大荷重が１８０〜２８０Ｎであり、最大伸び率が１８０〜２６０％であることを特徴とすることを特徴とする前記〔１〕又は前記〔２〕に記載のガードルである。
【００１０】
〔４〕そして、前記第１摩擦ベルト（３）と当接し、前記ベース部（１）よりも強い緊締力を有して使用者の下腹部を押さえる下腹部緊締部（５）を備えることを特徴とすることを特徴とする前記〔１〕から前記〔３〕のいずれかに記載のガードルである。
【考案の効果】
【００１１】
本考案のガードルによれば、長年の使用によってもヒップアップ効果が持続することができる。
【図面の簡単な説明】
【００１２】
【図１】本考案のガードルの一実施形態における正面図である。
【図２】本考案のガードルの一実施形態における背面図である。
【図３】本考案のガードルの一実施形態における裏返しにした状態の正面図である。
【図４】本考案のガードルの一実施形態における裏返しにした状態の背面図である。
【考案を実施するための形態】
【００１３】
以下、本考案のガードルに係る実施形態について図面に基づいて詳しく説明する。また、以下に説明する実施形態は、本考案を実施するのに好ましい具体例であるから、技術的に種々の限定がなされているが、本考案は、以下の説明において特に考案を限定する旨が明記されていない限り、この実施形態に限定されるものではない。なお、数値範囲を表す表現については、上限と下限を含むものである。
【００１４】
図１から図４を参照して、本考案のガードルに係る実施形態について説明する。図１は、本考案のガードルの一実施形態における正面図である。図２は、本考案のガードルの一実施形態における背面図である。図３は、本考案のガードルの一実施形態における裏返しにした状態の正面図である。図４は、本考案のガードルの一実施形態における裏返しにした状態の背面図である。
【００１５】
図１から図４に示すように、本考案のガードルは、ベース部１、腰部締着部２、第１摩擦ベルト３、第２摩擦ベルト４、下腹部緊締部５などから構成されている。
【００１６】
ベース部１は、使用者の腰部及び大腿部に密着し所定の伸縮性を有する部材である。ベース部１は、腰部締着部２、第１摩擦ベルト３、第２摩擦ベルト４、下腹部緊締部５などを固設するガードルの基礎的な部材である。ベース部１は、第１摩擦ベルト３、第２摩擦ベルト４、下腹部緊締部５などに比べると、緊締力が弱くなるよう編まれている。
【００１７】
ベース部１の材料は、特に限定されるものでないが、天然繊維または合成繊維など適宜選択される素材からなる。例えば、綿、絹、麻、ウール、セルロース、ナイロン、ポリエステル、アクリル、レーヨン、ニトリルなどからなり、これらを単一または複数用いて適度な緊締力を持たせることができる。
【００１８】
ベース部１には、使用者の腰部を覆設し略円筒形である上部開口端部１１と、使用者の大腿部を覆設し略円筒形である下部開口端部１２が設けられており、それぞれ使用者の腰部及び大腿部を挿通する開口の縁を形成している。
【００１９】
腰部締着部２は、使用者の腰部回りを締め付け、ベース部１の上部開口端部１１に位置する部位であり、ガードルが着用時にずり落ちないようにしている。腰部締着部２は、内部にゴムベルトが設けられたり、ベース部１よりも緊締力の強い生地で設けられたりするなどして形成される。本実施形態において、腰部締着部２は、上部開口端部１１の全周に亘ってゴムベルトが内設されることにより形成されており、使用者の腰部を所定の力で締め付けている。
【００２０】
第１摩擦ベルト３は、使用者の臀部の側部から下部に亘って曲線状に配設され、使用者のベース部１よりも摩擦係数が大きい部材である。一端側が腰部締着部２及び下腹部緊締部５において当接し、そこから臀部の左右それぞれの側面を沿って臀部の下部まで略円弧状の曲線状に形成され、他端が臀部の中心付近及び大腿部の内側まで延設されている。着用時に使用者の臀部と第１摩擦ベルト３が当接すると、使用者の臀部が第１摩擦ベルト３に対して滑らずに密着しながら、持ち上げられるので、長年使用によってもヒップアップ効果が持続することができる。本実施形態において、第１摩擦ベルト３については、図３、図４において薄墨を施している。
【００２１】
第１摩擦ベルト３は、少なくとも外表面においてゴム状弾性を有する樹脂を有していることが好ましい。第１摩擦ベルト３をこのように設けると、使用者の臀部が第１摩擦ベルト３に対してより滑らずに密着しながら、持ち上げられるので、ヒップアップ効果が高まる。なお、第１摩擦ベルト３は、少なくとも外表面においてゴム状弾性を有する樹脂を有していれば、ゴム状弾性を有する樹脂が被覆された種々の素材の繊維によって帯状に編まれていても良く、また、ゴム状弾性を有する樹脂そのものを繊維として帯状に編まれていても良い。
【００２２】
第１摩擦ベルト３は、よこ方向において、最大荷重が１８０〜２８０Ｎであることが好ましく、２００〜２５０Ｎであることがさらに好ましく、最大伸び率が１８０〜２６０％であることが好ましく、２００〜２４０％であることがさらに好ましい。そして、第１摩擦ベルト３は、たて方向において、最大荷重が１００〜１８０Ｎであることが好ましく、１２０〜１６０Ｎであることがさらに好ましく、最大伸び率が２５０〜３３０％であることが好ましく、２７０〜３１０％であることがさらに好ましい。第１摩擦ベルト３をこのように設けると、使用者の臀部を痛くないように自然に支えてヒップアップ効果を得ることができる。本実施形態において、第１摩擦ベルト３は、よこ方向における最大荷重が２３６Ｎ（標準偏差１１．８）であり、最大伸び率が２２２％（標準偏差８．３）であり、たて方向における最大荷重が１３９Ｎ（標準偏差７．４）であり、最大伸び率が２８９％（標準偏差４．１）であった。なお、これらの数値の測定については、ＪＩＳ  Ｌ１０９６に準じて、幅３ｃｍで長さ１０ｃｍの試料を用い、オートグラフ（島津製作所製、ＡＧＳ−Ｊ  ５ｋＮ）にてチャック間距離を５０ｍｍとし毎分３ｃｍの引張速度で測定した。
【００２３】
第２摩擦ベルト４は、第１摩擦ベルト３における使用者の臀部の下部側からベース部１の下部開口端部１２側に延設され、ベース部１よりも摩擦係数が大きい部材である。一端側が第１摩擦ベルト３における使用者の臀部の下部側において当接し、そこからベース部１の下部開口端部１２側に直線状に延設されている。着用時に使用者の大腿部及び臀部と第２摩擦ベルト４が当接すると、使用者の大腿部及び臀部が第２摩擦ベルト４に対して滑らずに密着しながら、持ち上げられるので、長年使用によってもヒップアップ効果が持続することができる。本実施形態において、第２摩擦ベルト４については、図３、図４において薄墨を施している。
【００２４】
第２摩擦ベルト４は、少なくとも外表面においてゴム状弾性を有する樹脂を有していることが好ましい。第２摩擦ベルト４をこのように設けると、使用者の大腿部及び臀部が第２摩擦ベルト４に対してより滑らずに密着しながら、持ち上げられるので、ヒップアップ効果が高まる。なお、第２摩擦ベルト４は、少なくとも外表面においてゴム状弾性を有する樹脂を有していれば、ゴム状弾性を有する樹脂が被覆された種々の素材の繊維によって帯状に編まれていても良く、また、ゴム状弾性を有する樹脂そのものを繊維として帯状に編まれていても良い。
【００２５】
第２摩擦ベルト４は、よこ方向において、最大荷重が１８０〜２８０Ｎであることが好ましく、２００〜２５０Ｎであることがさらに好ましく、最大伸び率が１８０〜２６０％であることが好ましく、２００〜２４０％であることがさらに好ましい。そして、第２摩擦ベルト４は、たて方向において、最大荷重が１００〜１８０Ｎであることが好ましく、１２０〜１６０Ｎであることがさらに好ましく、最大伸び率が２５０〜３３０％であることが好ましく、２７０〜３１０％であることがさらに好ましい。第２摩擦ベルト４をこのように設けると、使用者の大腿部及び臀部を痛くないように自然に支えてヒップアップ効果を得ることができる。本実施形態において、第２摩擦ベルト４は、第１摩擦ベルト３と同様のものを用いた。
【００２６】
下腹部緊締部５は、第１摩擦ベルト３と当接し、ベース部１よりも強い緊締力を有して使用者の下腹部を押さえる部材である。下腹部緊締部５は、上端が上部開口端部１１に位置し、恥骨部、鼠蹊部を覆うように逆三角形をした形状を有して、ベース部１に設けられている。下腹部緊締部５により、下腹部を押さえることにより腹部の体形を整えることができる。
【符号の説明】
【００２７】
１・・・ベース部
１１・・・上部開口端部
１２・・・下部開口端部
２・・・腰部緊着部
３・・・第１摩擦ベルト
４・・・第２摩擦ベルト
５・・・下腹部緊締部
【図１】
0003226121.tif 000003
【図２】
0003226121.tif 000004
【図３】
0003226121.tif 000005
【図４】
0003226121.tif 000006